(57)【要約】【課題】  電子機器の電源をオン／オフ操作をする為の電源ボタンが外れ落ちることなく取り付け作業を行うことが可能な作業効率を向上させた電源ボタンを備えた電子機器を提供する。【解決手段】  テレビジョン受像機１のキャビネット２の孔部３に電源ボタン１０の操作部１１を挿通する。電源ボタン１０に嵌合凹部１３を設け、電源のオン／オフ操作されるスイッチ１２の嵌合凸部２１を嵌合凹部１３に挿入する。嵌合凸部２１と嵌合凹部１３との間に隙間Ｓを設け、スイッチ１２に設けた係合突起１４を電源ボタン１０の係合部２２に係合させスイッチ１２に電源ボタン１０を取り付ける。嵌合凹部１３に嵌合凸部２１を嵌合させた状態で、スイッチ１２の係合突起１４と電源ボタン１０の係合部２２が係合されるから、スイッチ１２から電源ボタン１０が外れて落下してしまうことを防止することができる。【選択図】    図５
2006156201.tif 000002
【特許請求の範囲】
【請求項１】
電子機器のキャビネットに孔部を形成し、このキャビネットの内側から前記孔部に挿通され外側に突出して配置される操作部を有する電源ボタンを備えた電子機器であって、前記電源ボタンの後部に嵌合凹部を一体に設け、前記キャビネット内に設けられた前記電子機器の電源のオン／オフを行うスイッチ操作のされる嵌合凸部を前記嵌合凹部に挿入させ、これら嵌合凸部と嵌合凹部との間に隙間を設けると共に、前記スイッチに設けた係合突起と前記電源ボタンに設けた係合部とを係合させ前記スイッチに前記電源ボタンを取り付けたことを特徴とする電源ボタンを備えた電子機器。
【請求項２】
前記嵌合凸部の形状は角柱状に形成され、この角柱状の嵌合凸部の幅径より僅かに大きく、且つ前記嵌合凸部と略同形状の嵌合凹部に前記嵌合凸部を嵌合させたことを特徴とする請求項１記載の電源ボタンを備えた電子機器。
【請求項３】
前記電源ボタンにベースとなる鍔状の基部を設け、この基部の外周縁部が、前記キャビネットに形成された複数のガイドリブと摺動自在に係合され、前記孔部に前記操作部を挿入した前記キャビネットに電源ボタンを取り付けた状態にある時、前記複数のガイドリブにより、前記操作部の操作時に進退される電源ボタンの移動方向を規制したことを特徴とする請求項２記載の電源ボタンを備えた電子機器。
【発明の詳細な説明】
【技術分野】
【０００１】
本発明は、電源のオン／オフ操作を行う電源ボタンを備えた電子機器に関し、特に、電子機器のキャビネット内から外側に突出するなどして配置される押しボタン式の電源ボタンを備えた電子機器に関する。
【背景技術】
【０００２】
従来から、電源のオン／オフ操作を行う為の押しボタン式の電源ボタンを、電子機器のキャビネットの内側から前面の外側に突出して配置させ、この電源ボタンを繰り返し押すことによって、スイッチを連動させ電源のオン／オフを行うことが可能な電子機器が一般的に用いられている。このような電子機器に係る背景技術として、電源ボタンに相等するパワーボタンに設けられた２個のかん合爪の上部に、前方向に突き出た突起を設け、コントロールパネルのかん合穴に嵌合爪を差し込んだ取り付けた状態で、パワーボタンの上部をコントロールパネルに接触させ、パワーボタンのコントロールパネルに対する上下方向の位置決めを行ったパワーボタンの位置決め構造が特許文献１に開示されている。
【０００３】
また、図９は、従来から用いられている電源ボタンを備えた電子機器の断面を示す説明図である。同図に示す電子機器１００には、この電子機器１００のキャビネット１０１に、回路基板１０２に固定された電源スイッチ１０３を所定の位置にネジ１０８により固定する際には、キャビネット１０１などの各種部材の材質は一般的に樹脂製の成形物であることから、成形されたキャビネット１０１などの各種部材の撓みや量産する際の設計精度上の寸法誤差などの問題から、電源スイッチ１０３を、回路基板１０２を介してネジ１０８などにより所定の位置であるキャビネット１０１に固定してしまうと、本来、キャビネット１０１に形成された孔部１０４に挿入されるべき電源ボタン１０６の操作部１０５が、前述したズレや寸法誤差などによって操作部１０５を所定の位置である孔部１０４にスムーズに挿入できなくなってしまう。また、無理に孔部１０４に操作部１０５を挿入した際には、図９に示すように、孔部１０４の近傍に設けられた電源ボタン１０６の操作時の移動を案内するキャビネット１０１のガイドリブ１０７に電源ボタン１０６の一部が食い込んでしまうことがあり、これにより電源ボタン１０６はスムーズに進退動作できなくなり、動作不良にともなう故障を引き起こしてしまう懸念があった。
【０００４】
【特許文献１】特開平１１−１２０８６０号公報
【発明の開示】
【発明が解決しようとする課題】
【０００５】
前述した図９に示す従来の電子機器１００においては、所定の位置である孔部１０４に操作部１０５を挿入するためにその位置を調整するためには、キャビネット１０１に固定されている回路基板１０２をネジ１０８を緩めるなどして孔部１０４に電源ボタン１０６を挿入可能な位置になるように、いちいち手作業によって位置決め調整をしなければならず、その調整作業に時間がかかることで取り付け作業の効率が悪くなることから、製造効率が低下してしまうといった課題を有していた。
【０００６】
また、特許文献１には、パワーボタンの位置決めを所定の位置に調整することは可能であるものの、パワーボタンを取り付けた状態にある際に、パワーボタンの上部と、かん合爪の突起部をコントロールパネルに接触させスプリングの弾性力によってパワーボタンの位置決めを行うことができるが、パワーボタンの操作を行っている、すなわち押した状態にある時には、上下方向の位置決めを行う突起部がコントロールパネルから離れてしまい接触されないことから、パワーボタンの操作時には、コントロールパネルに対するパワーボタンの位置決めを行うことができる構造のものではない。
【０００７】
本発明は、上記問題点を鑑みてなされたものであり、電子機器のキャビネットに組み付ける操作ボタンの位置決めを確実に行うことができると共に、電子機器の電源をオン／オフ操作をする為の電源ボタンが外れ落ちることなく取り付け作業を行うことが可能な作業効率を向上させた電源ボタンを備えた電子機器を提供することを目的とする。
【課題を解決するための手段】
【０００８】
本発明の請求項１の電源ボタンを備えた電子機器は、電子機器のキャビネットに孔部を形成し、このキャビネットの内側から前記孔部に挿通され外側に突出して配置される操作部を有する電源ボタンを備えた電子機器であって、前記電源ボタンの後部に嵌合凹部を一体に設け、前記キャビネット内に設けられた前記電子機器の電源のオン／オフを行うスイッチ操作のされる嵌合凸部を前記嵌合凹部に挿入させ、これら嵌合凸部と嵌合凹部との間に隙間を設けると共に、前記スイッチに設けた係合突起と前記電源ボタンに設けた係合部とを係合させ前記スイッチに前記電源ボタンを取り付けたことを特徴とする。
【０００９】
請求項１の構成により、電源ボタンの嵌合凹部にスイッチの嵌合凸部を嵌合させた状態で、スイッチの係合突起と電源ボタンの係合部が係合されるので、嵌合凹部から嵌合凸部が外れてしまい電源ボタンがスイッチから落下してしまうことを防止することができ、尚且つ、嵌合凸部と嵌合凹部との間に隙間を設けたから、電源ボタンを隙間の分だけ移動させることができる。従って、キャビネットの孔部に操作部を挿入した状態でスイッチの本体を所定の位置に固定する際や、キャビネットなどの部材に寸法誤差などがあったとしても、従来のように、電源ボタンの一部がキャビネットなどに食い込んでしまい、電源ボタンがスムーズに進退動作できなくなり、動作不良にともなう故障を防止することができる。
【００１０】
本発明の請求項２の電源ボタンを備えた電子機器は、請求項１記載の電源ボタンを備えた電子機器において、前記嵌合凸部の形状は角柱状に形成され、この角柱状の嵌合凸部の幅径より僅かに大きく、且つ前記嵌合凸部と略同形状の嵌合凹部に前記嵌合凸部を嵌合させたことを特徴とする。
【００１１】
請求項２の構成により、嵌合凹部と嵌合凸部とを角柱状に形成したことにより、電源ボタンがスイッチに対し回転することのないように規制することができる。
【００１２】
本発明の請求項３の電源ボタンを備えた電子機器は、請求項２記載の電源ボタンを備えた電子機器において、前記操作ボタンにベースとなる鍔状の基部を設け、この基部の外周縁部が、前記キャビネットに形成された複数のガイドリブと摺動自在に係合され、前記孔部に前記操作部を挿入した前記キャビネットに電源ボタンを取り付けた状態にある時、前記複数のガイドリブにより、前記操作部の操作時に進退される電源ボタンの移動方向を規制したことを特徴とする。
【００１３】
請求項３の構成により、嵌合凸部と嵌合凹部との間の隙間の分だけ僅かに移動できる電源ボタンの移動方向を、電源ボタンが操作された時に、ガイドリブに摺動自在に基部の外周縁部を係合することで、電源ボタンは縁部に摺動されながら所定の移動方向に移動することができる。
【発明の効果】
【００１４】
本発明の請求項１の電源ボタンを備えた電子機器によれば、電子機器のキャビネットに孔部を形成し、このキャビネットの内側から前記孔部に挿通され外側に突出して配置される操作部を有する電源ボタンを備えた電子機器であって、前記電源ボタンの後部に嵌合凹部を一体に設け、前記キャビネット内に設けられた前記電子機器の電源のオン／オフを行うスイッチ操作のされる嵌合凸部を前記嵌合凹部に挿入させ、これら嵌合凸部と嵌合凹部との間に隙間を設けると共に、前記スイッチに設けた係合突起と前記電源ボタンに設けた係合部とを係合させ前記スイッチに前記電源ボタンを取り付けたものであり、電源ボタンがスイッチから外れてしまい落下してしまうことを防止することができるので、取り付け作業の作業効率の向上を実現でき、尚且つ、キャビネットなどの部材に寸法誤差などがあったとしても、電源ボタンをスムーズに所定の方向に移動させることができるので電子機器の故障を防止することができる。
【００１５】
本発明の請求項２の電源ボタンを備えた電子機器によれば、請求項１記載の電源ボタンを備えた電子機器において、前記嵌合凸部の形状は角柱状に形成され、この角柱状の嵌合凸部の幅径より僅かに大きく、且つ前記嵌合凸部と略同形状の嵌合凹部に前記嵌合凸部を嵌合させたので、電源ボタンの回転を規制することで、所定の位置からズレたりしないように電源ボタンを配置することができる。
【００１６】
本発明の請求項３の電源ボタンを備えた電子機器によれば、請求項２記載の電源ボタンを備えた電子機器において、前記操作ボタンにベースとなる鍔状の基部を設け、この基部の外周縁部が、前記キャビネットに形成された複数のガイドリブと摺動自在に係合され、前記孔部に前記操作部を挿入した前記キャビネットに電源ボタンを取り付けた状態にある時、前記複数のガイドリブにより、前記操作部の操作時に進退される電源ボタンの移動方向を所定の方向に移動できるように規制したので、嵌合凸部と嵌合凹部との間の隙間の分だけ僅かに移動できる電源ボタンの移動方向を、電源ボタンの操作時に所定の移動方向に移動させることができる。
【発明を実施するための最良の形態】
【００１７】
以下、本発明を実施するための最良の形態としての実施例を図１〜図８により以下に説明する。もちろん、本発明は、その発明の趣旨に反しない範囲で、実施例において説明した以外の構成のものに対しても容易に適用可能なことは説明を要するまでもない。
【００１８】
図１は本実施例における電子機器を示す斜視図、図２は電子機器に設けられた電源ボタンの正面図、図３は電源ボタンの側面図、図４は電源ボタンを取り付けたスイッチを回路基板を介してキャビネットに固定した状態を示す概略断面図、図５は電源ボタンを取り付けたスイッチを回路基板を介してキャビネットに固定した状態を示す一部切欠き断面図、図６は回路基板に固定したスイッチに電源ボタンを取り付けた状態を示す正面図、図７は回路基板に固定したスイッチに電源ボタンを取り付けた状態を示す側面図、図８は電源ボタンの操作部を隙間の分だけ移動させた状態を示す説明図である。
【００１９】
図１に示す電子機器はテレビジョン受像機１であり、このテレビジョン受像機１の樹脂製のキャビネット２に形成された孔部３には、電源ボタン１０の先端に設けられた操作部１１を挿入して、この操作部１１がキャビネット２の外側に突出して配置され、孔部３の内側周縁近傍にはキャビネット２と一体に複数のガイドリブ４が形成されている。
【００２０】
前記電源ボタン１０は、操作部１１を押して操作を行う、いわゆるプッシュ式の電源ボタン１０であり、この電源ボタンを押すことにより、スイッチ１２の嵌合凸部２１が連動して進退され、テレビジョン受像機１の電源をオン／オフ操作できるようになっており、電源ボタン１０のベースとなる基部１５の前部に前記操作部１１を一体に設け、この基部１５の後部である電源ボタン１０の後部には角筒状の嵌合凹部１３を一体に設け、嵌合凹部１３の後部一端には、スイッチ１２の本体１２Ａに一体に設けられた係合突起１４と係合する孔状の係合部２２を一体に設ける。なお、本実施例における一例においては、スイッチ１２の係合突起１４と電源ボタン１０の係合部２２とを係合することにより、スイッチ１２と電源ボタン１０とが係合されるようになっているが、特にこれに限定するものではなく、スイッチ１２に係合部２２を設け、電源ボタン１０に係合突起１４を設けてもよく、スイッチ１２と電源ボタン１０とが係合される係合手段を構成するのであれば、適宜変形実施も可能である。
【００２１】
また、キャビネット２にネジ止めなどによって固定される回路基板２０には、スイッチ１２の本体１２Ａの下部に設けられた端子を半田付けによって取り付け、スイッチ１２の先端側に断面矩形状であり、角柱状の嵌合凸部２１が設けられている。そして、図７に示すように、電源ボタン１０の嵌合凹部１３にスイッチ１２の嵌合凸部２１が挿入され嵌合されることにより、この嵌合凸部２１は回路基板２０に固定されたスイッチ１２の本体１２Ａに対し、嵌合凸部２１が押され移動することにより、進退されるようになっており、嵌合凹部１３に嵌合凸部２１を嵌合させた状態で、電源ボタン１０を押すとその移動に連動して嵌合凸部２１が進退され、テレビジョン受像機１の電源のオン／オフが繰り返し行われるように構成されている。なお、電源ボタン１０の嵌合凹部１３とスイッチ１２の嵌合凸部２１との間には隙間Ｓを有しており、嵌合凹部１３に嵌合凸部２１を挿入すると共にスイッチ１２の係合突起１４に電源ボタン１０の係合部２２を係合させた、スイッチ１２に電源ボタン１０を取り付けた状態において、前述した嵌合凹部１３と嵌合凸部２１との間に隙間Ｓが設けられることにより、固定されたスイッチ１２に対して電源ボタン１０を上下左右などの何れの方向であっても自由に隙間Ｓの分だけ傾かせるなどして移動できるように構成されている。
【００２２】
次に、電源ボタンの取り付けられたスイッチをキャビネット内に組み付ける手順を説明する。図６及び図７に示すように、回路基板２０にスイッチ１２を半田付け等により固定し、電源ボタン１０の嵌合凹部１３に嵌合凸部２１を挿入させると共に、係合部２２に係合突起１４を係合すると、この場合、角柱状の嵌合凸部２１をこの嵌合凸部２１の幅径Ｗより僅かに径の大きい略同形状の嵌合凹部１３に嵌合するので、電源ボタン１０がスイッチ１２に対し回転することのないように規制することができ、且つ、係合部２２に係合突起１４を係合することによって、スイッチ１２に取り付けられた電源ボタン１０が、スイッチ１２から外れることを防止することができる。そして、スイッチ１２に電源ボタン１０を取り付けた状態で、これらをキャビネット２に組み付ける次の手順では、電源ボタン１０の基部１５の張り出した鍔状の外周縁部１５Ａが、キャビネット２に形成した複数のガイドリブ４に沿って移動させながら、電源ボタン１０の操作部１１をキャビネット２の孔部３に挿入させ、キャビネット２に一体に形成された図示しないボス部などに回路基板２０をネジ止め固定する（図５に示す状態）。
【００２３】
このように、本実施例における電子機器たるテレビジョン受像機１においては、テレビジョン受像機１の電源のオン／オフを行う電源用のスイッチ１２に電源ボタン１０を取り付けた状態でキャビネット２への取り付け作業を容易に行える構造となっていて、つまり、取り付け作業の途中においてスイッチ１２から電源ボタン１０が外れてしまい落下することを防止することができる。
【００２４】
しかも、嵌合凸部２１と嵌合凹部１３との間には隙間Ｓを有しているので、スイッチ１２に取り付けた電源ボタン１０が自由に傾斜できるように構成されており、スイッチ１２の係合突起１４と電源ボタン１０の係合部２２とを係合した状態でスイッチ１２に電源ボタン１０が取り付けられる為、キャビネット２に回路基板２０を取り付ける作業の途中に、スイッチ１２から電源ボタン１０が外れ落ちてしまい、取り付け作業が中断することを防止できるので、取り付け作業を効率的に行い、ひいては製造コストを低減することが可能となる。
【００２５】
さらに、前述したキャビネット２への電源ボタン１０の取り付け後は、電源ボタンの基部１５の外周縁部１５Ａが複数のガイドリブ４に沿って案内され移動されるように構成されていることにより、キャビネット２の孔部３より外部に突出した電源ボタン１０の操作部１１を、傾斜した状態で突出することがないように水平状態で突出するように位置規制することが可能となっており、つまり、ユーザーなどが、キャビネット２に取り付けられた操作部１１を押して操作する際に、キャビネット２のガイドリブ４により、電源ボタン１０の移動方向を所定方向である水平方向に移動するように規制する為、電源ボタン１０の操作に支障を来すことなくスムーズな電源ボタン１０の操作を行うことが出来る。
【００２６】
また、仮に回路基板２０上に実装されたスイッチ１２が所定の位置ではなく傾いたりズレたりした状態で取り付けられた場合には、図８に示すように、嵌合凹部１３と嵌合凸部２１との間に有する隙間Ｓの分だけスイッチ１２に対して電源ボタン１０を移動させたり傾けることができる為、最終的にキャビネット２に回路基板２０を固定した際、孔部３に対して電源ボタン１０の操作部１１が、隙間Ｓの分だけ移動して所定の位置から偏った位置に配置されることが無いように、ガイドリブ４によって電源ボタン１０を所定の位置で移動するように規制することができる。なお、図５に示す状態で、キャビネット２に取り付けられた電源ボタン１０を押して操作を行う場合において、キャビネット２のガイドリブ４に電源ボタン１０の基部１５が摺動されながらスムーズにスライド移動する為、電源ボタン１０がガイドリブ４などに途中で引っかかるなどの操作性の不具合を解消することが出来る。
【００２７】
以上のように本実施例によれば、電子機器たるテレビジョン受像機１のキャビネット２に孔部３を形成し、このキャビネット２の内側から孔部３に挿通され外側に突出して配置される操作部１１を有する電源ボタン１０に嵌合凹部１３を一体に設け、テレビジョン受像機１の電源のオン／オフを行うスイッチ１２の操作のされる嵌合凸部２１を嵌合凹部１３に挿入させ、嵌合凸部２１と嵌合凹部１３との間に隙間Ｓを設けると共に、スイッチ１２に設けた係合突起１４と電源ボタン１０に設けた係合部２２とを係合させて、スイッチ１２に電源ボタン１０を取り付けたものであり、電源ボタン１０の嵌合凹部１３にスイッチ１２の嵌合凸部２１を嵌合させた状態で、スイッチ１２の係合突起１４と電源ボタン１０の孔状の係合部２２が係合されるので、嵌合凹部１３から嵌合凸部２１が外れてしまい、電源ボタン１０がスイッチ１２から外れてしまい落下してしまうことを防止することができ、尚且つ、嵌合凸部２１と嵌合凹部１３との間に隙間Ｓを設けたから、電源ボタン１０を隙間Ｓの分だけ移動させることができる。従って、図５に示すように、キャビネット２の孔部３に操作部１１を挿入した状態でスイッチ１２の本体１２Ａを所定の位置に固定する際や、キャビネット２又は回路基板２０、或いはこれら両部材に寸法誤差などがあったとしても、従来のように、電源ボタンの一部がキャビネットなどに食い込んでしまい、電源ボタンがスムーズに進退動作できなくなり、動作不良にともなう故障を防止することができるので、故障を可及的に軽減したテレビジョン受像機１を提供することができる。
【００２８】
さらに、嵌合凸部２１の形状は角柱状に形成され、この角柱状の嵌合凸部２１の幅径Ｗより僅かに大きく、且つ嵌合凸部２１と同一若しくは略同形状の嵌合凹部１３に、嵌合凸部２１を嵌合させたものである。これにより、嵌合凹部１３と嵌合凸部２１とを同一若しくは略同形状の角柱状に形成したことにより、電源ボタン１０がスイッチ１２に対し回転することのないように規制することができる。
【００２９】
さらに、電源ボタン１０にベースとなる鍔状の基部１５を設け、この基部１５の外周縁部１５Ａが、キャビネット２に形成された複数のガイドリブ４と摺動自在に係合され、キャビネット２の孔部３に操作部１１を挿入したキャビネット２に電源ボタン１０を取り付けた状態にある時、複数のガイドリブ４により、操作部１１の操作時に進退される電源ボタン１０の移動方向を規制したので、嵌合凸部２１と嵌合凹部１３との間の隙間Ｓの分だけ僅かに移動できる電源ボタン１０の移動方向を、図５に示した状態で、電源ボタン１０が操作された時に、ガイドリブ４に摺動自在に基部１５の外周縁部１５Ａを係合することで、電源ボタン１０はガイドリブ４に摺動されながら所定の移動方向である水平方向にガタつくことなくスムーズに移動できる。
【００３０】
以上、本発明の実施例を詳述したが、本発明は前記実施例に限定されるものではなく、本発明の要旨の範囲内で種々の変形実施が可能である。本実施例においては、嵌合凹部１３とこれに対応する嵌合凸部２１の形状を、断面矩形の角柱状に形成しているが、この形状に特に限定するものではなく、例えば、その断面を矩形に代えて、三角形、五角形、或いは六角形など、スイッチ１２に対して電源ボタン１０の回転を規制できるのであれば、適宜その形状を選定してよい。
【図面の簡単な説明】
【００３１】
【図１】本発明の一実施例の電子機器を示す斜視図である。
【図２】同上、電子機器に設けられた電源ボタンを示す正面図である。
【図３】同上、電子機器に設けられた電源ボタンを示す側面図である。
【図４】同上、電源ボタンを取り付けたスイッチを回路基板を介してキャビネットに固定した状態を示す概略断面図である。
【図５】同上、電源ボタンを取り付けたスイッチを回路基板を介してキャビネットに固定した状態を示す一部切欠き断面図である。
【図６】同上、回路基板に固定したスイッチに電源ボタンを取り付けた状態を示す正面図である。
【図７】同上、回路基板に固定したスイッチに電源ボタンを取り付けた状態を示す側面図である。
【図８】同上、電源ボタンの操作部を隙間の分だけ移動させた状態を示す説明図である。
【図９】従来から用いられている電源ボタンを備えた電子機器の断面を示す説明図である。
【符号の説明】
【００３２】
１  テレビジョン受像機（電子機器）
２  キャビネット
３  孔部
４  ガイドリブ
１０  電源ボタン
１１  操作部
１２  スイッチ
１３  嵌合凹部
１４  係合突起
１５  基部
１５Ａ  外周縁部
２１  嵌合凸部
２２  係合部
Ｓ  隙間
Ｗ  幅径
【図１】
2006156201.tif 000003
【図２】
2006156201.tif 000004
【図３】
2006156201.tif 000005
【図４】
2006156201.tif 000006
【図５】
2006156201.tif 000007
【図６】
2006156201.tif 000008
【図７】
2006156201.tif 000009
【図８】
2006156201.tif 000010
【図９】
2006156201.tif 000011